(57)【特許請求の範囲】
【請求項１】
移動局が、無線基地局に対して、該無線基地局で用いる該移動局用のパラメータの変更を促す移動局支援情報を送信する工程と、
前記無線基地局が、前記移動局に対して、前記移動局支援情報の送信抑止期間を通知する工程と、
前記移動局が、前記送信抑止期間に基づいて、前記移動局支援情報の再送を停止する工程とを有することを特徴とする移動通信方法。
【請求項２】
移動局が、無線基地局に対して、該無線基地局で用いる該移動局用のパラメータの変更を促す移動局支援情報を送信する工程と、
前記無線基地局が、前記移動局に対して、前記移動局支援情報の送信許可回数を通知する工程と、
前記移動局支援情報の再送回数が、前記送信許可回数に到達した場合に、前記移動局が、前記移動局支援情報の再送を停止する工程とを有することを特徴とする移動通信方法。
【請求項３】
移動局が、無線基地局に対して、該無線基地局で用いる該移動局用のパラメータの変更を促す移動局支援情報を送信する工程と、
前記無線基地局が、前記移動局に対して、前記移動局支援情報の再送抑止を指示する個別シグナリングを送信する工程と、
前記移動局が、前記個別シグナリングに基づいて、前記移動局支援情報の再送を停止する工程とを有することを特徴とする移動通信方法。
【請求項４】
移動局であって、
無線基地局に対して、該無線基地局で用いる前記移動局用のパラメータの変更を促す移動局支援情報を送信するように構成されている送信部と、
前記無線基地局から、前記移動局支援情報の送信抑止期間を取得するように構成されている受信部とを具備しており、
前記送信部は、前記送信抑止期間に基づいて、前記移動局支援情報の再送を停止するように構成されていることを特徴とする移動局。
【請求項５】
移動局であって、
無線基地局に対して、該無線基地局で用いる前記移動局用のパラメータの変更を促す移動局支援情報を送信するように構成されている送信部と、
前記無線基地局から、前記移動局支援情報の送信許可回数を取得するように構成されている受信部とを具備しており、
前記移動局支援情報の再送回数が、前記送信許可回数に到達した場合に、前記送信部は、前記移動局支援情報の再送を停止するように構成されていることを特徴とする移動局。
【請求項６】
移動局であって、
無線基地局に対して、該無線基地局で用いる前記移動局用のパラメータの変更を促す移動局支援情報を送信するように構成されている送信部と、
前記無線基地局から、前記移動局支援情報の再送抑止を指示する個別シグナリングを受信するように構成されている受信部とを具備しており、
前記送信部は、前記個別シグナリングに基づいて、前記移動局支援情報の再送を停止するように構成されていることを特徴とする移動局。
【発明の詳細な説明】
【技術分野】
【０００１】
本発明は、移動通信方法及び移動局に関する。
【背景技術】
【０００２】
ＬＴＥ-Ａｄｖａｎｃｅｄ方式の仕様を策定する会合において、移動局ＵＥが「ＵＥ  ａｓｓｉｓｔａｎｃｅ  ｉｎｆｏｒｍａｔｉｏｎ」を送信するための設定方法が合意された（非特許文献１参照）。
【０００３】
ここで、「ＵＥ  ａｓｓｉｓｔａｎｃｅ  ｉｎｆｏｒｍａｔｉｏｎ」は、無線基地局ｅＮＢで用いる移動局ＵＥ用のパラメータの変更を促す移動局支援情報である。
【０００４】
具体的には、移動局ＵＥは、無線基地局ｅＮＢからの設定指示信号（Ｃｏｎｆｉｇｕｒａｔｉｏｎ）を受けた場合に、無線基地局ｅＮＢに対して、「ＵＥ  ａｓｓｉｓｔａｎｃｅ  ｉｎｆｏｒｍａｔｉｏｎ」を送信するように構成されている。
【０００５】
なお、移動局ＵＥは、無線基地局ｅＮＢからの設定指示信号を受けない限り、無線基地局ｅＮＢに対して、「ＵＥ  ａｓｓｉｓｔａｎｃｅ  ｉｎｆｏｒｍａｔｉｏｎ」を送信しないように構成されている。
【０００６】
現在、かかる「ＵＥ  ａｓｓｉｓｔａｎｃｅ  ｉｎｆｏｒｍａｔｉｏｎ」としては、「ＵＥ  ｐｏｗｅｒ  ｐｒｅｆｅｒｅｎｃｅ」及び「ＵＥ  ｍｏｂｉｌｉｔｙ  ｉｎｆｏｒｍａｔｉｏｎ」の２種類が規定されている。
【０００７】
「ＵＥ  ｐｏｗｅｒ  ｐｒｅｆｅｒｅｎｃｅ」は、移動局ＵＥが、「Ｐｏｗｅｒ  Ｓａｖｉｎｇ（バッテリ使用可能時間）」及び「Ｐｅｒｆｏｒｍａｎｃｅ（サービス確立までの遅延時間）」のどちらを優先させたいかについて示すものである。
【０００８】
また、「ＵＥ  ｍｏｂｉｌｉｔｙ  ｉｎｆｏｒｍａｔｉｏｎ」は、移動局ＵＥがＲＲＣ_ＩＤＬＥ状態である場合のモビリティに関する情報を示すものである。
【先行技術文献】
【非特許文献】
【０００９】
【非特許文献１】３ＧＰＰ寄書  Ｒ２-１２３１６０
【発明の概要】
【発明が解決しようとする課題】
【００１０】
しかしながら、現在合意されているＬＴＥ-Ａｄｖａｎｃｅｄ方式の仕様では、移動局ＵＥが「ＵＥ  ａｓｓｉｓｔａｎｃｅ  ｉｎｆｏｒｍａｔｉｏｎ」を送信するための設定が完了した後、かかる「ＵＥ  ａｓｓｉｓｔａｎｃｅ  ｉｎｆｏｒｍａｔｉｏｎ」の再送が繰り返される場合であっても、かかる「ＵＥ  ａｓｓｉｓｔａｎｃｅ  ｉｎｆｏｒｍａｔｉｏｎ」の再送を抑止するための方法が規定されていないという問題点があった。
【００１１】
そこで、本発明は、上述の課題に鑑みてなされたものであり、「ＵＥ  ａｓｓｉｓｔａｎｃｅ  ｉｎｆｏｒｍａｔｉｏｎ」の再送を抑止することができる移動通信方法及び移動局を提供することを目的とする。
【課題を解決するための手段】
【００１２】
本発明の第１の特徴は、移動通信方法であって、移動局が、無線基地局に対して、該無線基地局で用いる該移動局用のパラメータの変更を促す移動局支援情報を送信する工程と、前記無線基地局が、前記移動局に対して、前記移動局支援情報の送信抑止期間を通知する工程と、前記移動局が、前記送信抑止期間に基づいて、前記移動局支援情報の再送を停止する工程とを有することを要旨とする。
【００１３】
本発明の第２の特徴は、移動通信方法であって、移動局が、無線基地局に対して、該無線基地局で用いる該移動局用のパラメータの変更を促す移動局支援情報を送信する工程と、前記無線基地局が、前記移動局に対して、前記移動局支援情報の送信許可回数を通知する工程と、前記移動局支援情報の再送回数が、前記送信許可回数に到達した場合に、前記移動局が、前記移動局支援情報の再送を停止する工程とを有することを要旨とする。
【００１４】
本発明の第３の特徴は、移動通信方法であって、移動局が、無線基地局に対して、該無線基地局で用いる該移動局用のパラメータの変更を促す移動局支援情報を送信する工程と、前記無線基地局が、前記移動局に対して、前記移動局支援情報の再送抑止を指示する個別シグナリングを送信する工程と、前記移動局が、前記個別シグナリングに基づいて、前記移動局支援情報の再送を停止する工程とを有することを要旨とする。
【００１５】
本発明の第４の特徴は、移動局であって、無線基地局に対して、該無線基地局で用いる前記移動局用のパラメータの変更を促す移動局支援情報を送信するように構成されている送信部と、前記無線基地局から、前記移動局支援情報の送信抑止期間を取得するように構成されている受信部とを具備しており、前記送信部は、前記送信抑止期間に基づいて、前記移動局支援情報の再送を停止するように構成されていることを要旨とする。
【００１６】
本発明の第５の特徴は、移動局であって、無線基地局に対して、該無線基地局で用いる前記移動局用のパラメータの変更を促す移動局支援情報を送信するように構成されている送信部と、前記無線基地局から、前記移動局支援情報の送信許可回数を取得するように構成されている受信部とを具備しており、前記移動局支援情報の再送回数が、前記送信許可回数に到達した場合に、前記送信部は、前記移動局支援情報の再送を停止するように構成されていることを要旨とする。
【００１７】
本発明の第６の特徴は、移動局であって、無線基地局に対して、該無線基地局で用いる前記移動局用のパラメータの変更を促す移動局支援情報を送信するように構成されている送信部と、前記無線基地局から、前記移動局支援情報の再送抑止を指示する個別シグナリングを受信するように構成されている受信部とを具備しており、前記送信部は、前記個別シグナリングに基づいて、前記移動局支援情報の再送を停止するように構成されていることを要旨とする。
【発明の効果】
【００１８】
以上説明したように、本発明によれば、「ＵＥ  ａｓｓｉｓｔａｎｃｅ  ｉｎｆｏｒｍａｔｉｏｎ」の再送を抑止することができる移動通信方法及び移動局を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の変更例１に係る移動通信システムの動作を示すシーケンス図である。
【図６】本発明の変更例２に係る移動通信システムの動作を示すシーケンス図である。
【発明を実施するための形態】
【００２０】
（本発明の第１の実施形態に係る移動通信システム）
図１乃至図４を参照して、本発明の第１の実施形態に係る移動通信システムについて説明する。
【００２１】
本実施形態では、ＬＴＥ-Ａｄｖａｎｃｅｄ方式の移動通信システムを例に挙げて説明するが、本発明は、かかる移動通信システムに限定されず、他の方式の移動通信システムにも適用可能である。
【００２２】
図１に示すように、本実施形態に係る移動通信システムは、無線基地局ｅＮＢと、移動局ＵＥとを具備している。
【００２３】
図２に示すように、無線基地局ｅＮＢは、送信部１１と、受信部１２とを具備している。
【００２４】
送信部１１は、移動局ＵＥに対して各種信号を送信するように構成されており、受信部１２は、移動局ＵＥから各種信号を受信するように構成されている。
【００２５】
例えば、送信部１１は、移動局ＵＥに対して、上述の設定指示信号（Ｃｏｎｆｉｇｕｒａｔｉｏｎ）を送信するように構成されている。
【００２６】
また、送信部１１は、移動局ＵＥに対して、「ＵＥ  ａｓｓｉｓｔａｎｃｅ  ｉｎｆｏｒｍａｔｉｏｎ」の送信抑止期間（Ｐｒｏｈｉｂｉｔ  ｔｉｍｅｒ）を通知するように構成されていてもよい。
【００２７】
例えば、送信部１１は、「ＲＲＣ  Ｃｏｎｎｅｃｔｉｏｎ  Ｓｅｔｕｐ（コネクション設定信号）」や「ＲＲＣ  Ｃｏｎｎｅｃｔｉｏｎ  Ｒｅｃｏｎｆｉｇｕｒａｔｉｏｎ（コネクション再設定信号）」や「ＲＲＣ  Ｃｏｎｎｅｃｔｉｏｎ  Ｒｅｅｓｔａｂｌｉｓｈｍｅｎｔ（コネクション再確立信号）」等に含まれる情報要素「ＲａｄｉｏＲｅｓｏｕｒｃｅＣｏｎｆｉｇＤｅｄｉｃａｔｅｄ」内の情報要素「Ｍａｃ-ＭａｉｎＣｏｎｆｉｇ」によって、移動局ＵＥに対して、かかる送信抑止期間を通知するように構成されていてもよい。なお、かかる送信抑止期間の単位として任意の単位を用いることができる。
【００２８】
例えば、送信部１１は、かかる送信抑止期間として、「ｘ秒」という時間を通知するように構成されていてもよいし、「ｘ個」というサブフレーム数を通知するように構成されていてもよい。
【００２９】
さらに、送信部１１は、かかる送信抑止期間として、送信抑止期間を設定しないことを意味する値（例えば、「０」）や、１回だけ「ＵＥ  ａｓｓｉｓｔａｎｃｅ  ｉｎｆｏｒｍａｔｉｏｎ」を送信したら設定指示信号を再度受信しない限り送信禁止であることを意味する値（例えば、「ｉｎｆｉｎｉｔｅ」）を通知するように構成されていてもよい。
【００３０】
また、受信部１２は、移動局ＵＥによって送信された「ＵＥ  ａｓｓｉｓｔａｎｃｅ  ｉｎｆｏｒｍａｔｉｏｎ」を取得するように構成されていてもよい。
【００３１】
図３に示すように、移動局ＵＥは、受信部２１と、管理部２２と、送信部２３とを具備している。
【００３２】
受信部２１は、無線基地局ｅＮＢから各種信号を受信するように構成されており、送信部２３は、無線基地局ｅＮＢに対して各種信号を送信するように構成されている。
【００３３】
例えば、受信部２１が、無線基地局ｅＮＢから、上述の設定指示信号（Ｃｏｎｆｉｇｕｒａｔｉｏｎ）を受信した後、送信部２３は、無線基地局ｅＮＢに対して、「ＵＥ  ａｓｓｉｓｔａｎｃｅ  ｉｎｆｏｒｍａｔｉｏｎ」を送信するように構成されている。
【００３４】
ここで、送信部２３は、所定間隔で、「ＵＥ  ａｓｓｉｓｔａｎｃｅ  ｉｎｆｏｒｍａｔｉｏｎ」を繰り返し送信するように構成されていてもよい。
【００３５】
また、受信部２１は、無線基地局ｅＮＢから、「ＵＥ  ａｓｓｉｓｔａｎｃｅ  ｉｎｆｏｒｍａｔｉｏｎ」の送信抑止期間を取得するように構成されている。
【００３６】
ここで、管理部２２は、受信部２１によって取得された「ＵＥ  ａｓｓｉｓｔａｎｃｅ  ｉｎｆｏｒｍａｔｉｏｎ」の送信抑止期間を管理するように構成されている。
【００３７】
送信部２３は、かかる送信抑止期間に基づいて、「ＵＥ  ａｓｓｉｓｔａｎｃｅ  ｉｎｆｏｒｍａｔｉｏｎ」の再送を停止するように構成されている。
【００３８】
例えば、受信部２１が、かかる送信抑止期間を取得した場合、送信部２３は、１回だけ「ＵＥ  ａｓｓｉｓｔａｎｃｅ  ｉｎｆｏｒｍａｔｉｏｎ」を送信した後、かかる送信抑止期間によって指定されている期間（例えば、ｘ秒間やｘサブフレームの間）、「ＵＥ  ａｓｓｉｓｔａｎｃｅ  ｉｎｆｏｒｍａｔｉｏｎ」の送信を停止するように構成されている。
【００３９】
そして、かかる送信抑止期間によって指定されている期間が経過した後、送信部２３は、「ＵＥ  ａｓｓｉｓｔａｎｃｅ  ｉｎｆｏｒｍａｔｉｏｎ」の送信を再開するように構成されている。
【００４０】
なお、受信部２１が、かかる送信抑止期間として「０」を取得した場合、送信部２３は、「ＵＥ  ａｓｓｉｓｔａｎｃｅ  ｉｎｆｏｒｍａｔｉｏｎ」の送信を停止しないように構成されていてもよい。
【００４１】
或いは、受信部２１が、かかる送信抑止期間として「ｉｎｆｉｎｉｔｅ」を取得した場合、送信部２３は、１回だけ「ＵＥ  ａｓｓｉｓｔａｎｃｅ  ｉｎｆｏｒｍａｔｉｏｎ」を送信した後、受信部２１によって設定指示信号が再度受信されない限り、「ＵＥ  ａｓｓｉｓｔａｎｃｅ  ｉｎｆｏｒｍａｔｉｏｎ」を送信しないように構成されていてもよい。
【００４２】
以下、図４を参照して、本実施形態に係る移動通信システムの動作について説明する。
【００４３】
図４に示すように、移動局ＵＥは、ステップＳ１０００において、「ＵＥ  ａｓｓｉｓｔａｎｃｅ  ｉｎｆｏｒｍａｔｉｏｎ」の送信が設定されている場合、ステップＳ１００１において、無線基地局ｅＮＢに対して、「ＵＥ  ａｓｓｉｓｔａｎｃｅ  ｉｎｆｏｒｍａｔｉｏｎ」を繰り返し送信する。
【００４４】
ステップＳ１００２において、無線基地局ｅＮＢは、移動局ＵＥに対して、上述の送信抑止期間（Ｐｒｏｈｉｂｉｔ  ｔｉｍｅｒ）を含む「ＲＲＣ  Ｃｏｎｎｅｃｔｉｏｎ  Ｒｅｃｏｎｆｉｇｕｒａｔｉｏｎ」を送信する。
【００４５】
移動局ＵＥは、かかる「ＲＲＣ  Ｃｏｎｎｅｃｔｉｏｎ  Ｒｅｃｏｎｆｉｇｕｒａｔｉｏｎ」を受信すると、ステップＳ１００３において、「ＵＥ  ａｓｓｉｓｔａｎｃｅ  ｉｎｆｏｒｍａｔｉｏｎ」を送信した後、ステップＳ１００４において、「ＵＥ  ａｓｓｉｓｔａｎｃｅ  ｉｎｆｏｒｍａｔｉｏｎ」の送信を停止する。
【００４６】
その後、かかる送信抑止期間によって指定されている期間が経過した後、移動局ＵＥは、ステップＳ１００５において、「ＵＥ  ａｓｓｉｓｔａｎｃｅ  ｉｎｆｏｒｍａｔｉｏｎ」の送信を再開する。
【００４７】
本実施形態に係る移動通信システムによれば、無線基地局ｅＮＢが、移動局ＵＥに対して、上述の送信抑止期間を通知することで、移動局ＵＥによる「ＵＥ  ａｓｓｉｓｔａｎｃｅ  ｉｎｆｏｒｍａｔｉｏｎ」の再送を抑止することができる。
【００４８】
（変更例１）
以下、図５を参照して、本発明の変更例１に係る移動通信システムについて、上述の第１の実施形態に係る移動通信システムとの相違点に着目して説明する。
【００４９】
本変更例１に係る移動通信システムでは、無線基地局ｅＮＢの送信部１１が、移動局ＵＥに対して、「ＵＥ  ａｓｓｉｓｔａｎｃｅ  ｉｎｆｏｒｍａｔｉｏｎ」の送信許可回数を通知するように構成されている。
【００５０】
例えば、送信部１１は、「ＲＲＣ  Ｃｏｎｎｅｃｔｉｏｎ  Ｓｅｔｕｐ」や「ＲＲＣ  Ｃｏｎｎｅｃｔｉｏｎ  Ｒｅｃｏｎｆｉｇｕｒａｔｉｏｎ」や「ＲＲＣ  Ｃｏｎｎｅｃｔｉｏｎ  Ｒｅｅｓｔａｂｌｉｓｈｍｅｎｔ」等に含まれる情報要素「ＲａｄｉｏＲｅｓｏｕｒｃｅＣｏｎｆｉｇＤｅｄｉｃａｔｅｄ」内の情報要素「Ｍａｃ-ＭａｉｎＣｏｎｆｉｇ」によって、移動局ＵＥに対して、かかる送信許可回数を通知するように構成されていてもよい。
【００５１】
また、送信部１１は、かかる送信許可回数として、「ＵＥ  ａｓｓｉｓｔａｎｃｅ  ｉｎｆｏｒｍａｔｉｏｎ」の一切の送信を許可しないことを意味する値（例えば、「０」）や、「ＵＥ  ａｓｓｉｓｔａｎｃｅ  ｉｎｆｏｒｍａｔｉｏｎ」の再送を抑制しないことを意味する値（例えば、「ｉｎｆｉｎｉｔｅ」）を通知するように構成されていてもよい。
【００５２】
また、移動局ＵＥにおいて、「ＵＥ  ａｓｓｉｓｔａｎｃｅ  ｉｎｆｏｒｍａｔｉｏｎ」の再送回数が、受信部２１によって受信された送信許可回数に到達した場合に、送信部２３は、「ＵＥ  ａｓｓｉｓｔａｎｃｅ  ｉｎｆｏｒｍａｔｉｏｎ」の再送を停止するように構成されている。
【００５３】
かかる場合、受信部２１が、無線基地局ｅＮＢから、再度、上述の設定指示信号を受信するまでは、送信部２３は、「ＵＥ  ａｓｓｉｓｔａｎｃｅ  ｉｎｆｏｒｍａｔｉｏｎ」の再送を再開しないように構成されている。
【００５４】
なお、受信部２１が、かかる送信許可回数として「０」を取得した場合、送信部２３は、１回も「ＵＥ  ａｓｓｉｓｔａｎｃｅ  ｉｎｆｏｒｍａｔｉｏｎ」を送信することなく、「ＵＥ  ａｓｓｉｓｔａｎｃｅ  ｉｎｆｏｒｍａｔｉｏｎ」の送信を停止するように構成されていてもよい。
【００５５】
或いは、受信部２１が、かかる送信許可回数として「ｉｎｆｉｎｉｔｅ」を取得した場合、送信部２３は、「ＵＥ  ａｓｓｉｓｔａｎｃｅ  ｉｎｆｏｒｍａｔｉｏｎ」の送信を停止しないように構成されていてもよい。
【００５６】
以下、図５を参照して、本変更例１に係る移動通信システムの動作について説明する。
【００５７】
図５に示すように、移動局ＵＥは、ステップＳ２０００において、「ＵＥ  ａｓｓｉｓｔａｎｃｅ  ｉｎｆｏｒｍａｔｉｏｎ」の送信が設定されている場合、ステップＳ２００１において、無線基地局ｅＮＢに対して、「ＵＥ  ａｓｓｉｓｔａｎｃｅ  ｉｎｆｏｒｍａｔｉｏｎ」を繰り返し送信する。
【００５８】
ステップＳ２００２において、無線基地局ｅＮＢは、移動局ＵＥに対して、上述の送信許可回数を含む「ＲＲＣ  Ｃｏｎｎｅｃｔｉｏｎ  Ｒｅｃｏｎｆｉｇｕｒａｔｉｏｎ」を送信する。
【００５９】
移動局ＵＥは、かかる「ＲＲＣ  Ｃｏｎｎｅｃｔｉｏｎ  Ｒｅｃｏｎｆｉｇｕｒａｔｉｏｎ」を受信すると、ステップＳ２００３において、「ＵＥ  ａｓｓｉｓｔａｎｃｅ  ｉｎｆｏｒｍａｔｉｏｎ」の再送回数が、かかる送信許可回数「ｘ」に到達するまで、「ＵＥ  ａｓｓｉｓｔａｎｃｅ  ｉｎｆｏｒｍａｔｉｏｎ」の再送を繰り返す。
【００６０】
その後、「ＵＥ  ａｓｓｉｓｔａｎｃｅ  ｉｎｆｏｒｍａｔｉｏｎ」の再送回数が、かかる送信許可回数「ｘ」に到達した場合、移動局ＵＥは、ステップＳ２００４において、「ＵＥ  ａｓｓｉｓｔａｎｃｅ  ｉｎｆｏｒｍａｔｉｏｎ」の送信を停止する。
【００６１】
その後、移動局ＵＥは、ステップＳ２００５において、無線基地局ｅＮＢから、上述の設定指示信号（Ｃｏｎｆｉｇｕｒａｔｉｏｎ）を受信した場合、ステップＳ２００６において、「ＵＥ  ａｓｓｉｓｔａｎｃｅ  ｉｎｆｏｒｍａｔｉｏｎ」の送信を再開する。
【００６２】
本変更例１に係る移動通信システムによれば、無線基地局ｅＮＢが、移動局ＵＥに対して、上述の送信可能回数を通知することで、移動局ＵＥによる「ＵＥ  ａｓｓｉｓｔａｎｃｅ  ｉｎｆｏｒｍａｔｉｏｎ」の再送を抑止することができる。
【００６３】
（変更例２）
以下、図６を参照して、本発明の変更例２に係る移動通信システムについて、上述の第１の実施形態及び変更例１に係る移動通信システムとの相違点に着目して説明する。
【００６４】
本変更例２に係る移動通信システムでは、無線基地局ｅＮＢの送信部１１が、移動局ＵＥに対して、「ＵＥ  ａｓｓｉｓｔａｎｃｅ  ｉｎｆｏｒｍａｔｉｏｎ」の再送抑止を指示する個別シグナリングを送信するように構成されている。
【００６５】
例えば、送信部１１は、かかる個別シグナリングとして、「ＲＲＣ  Ｃｏｎｎｅｃｔｉｏｎ  Ｓｅｔｕｐ」や「ＲＲＣ  Ｃｏｎｎｅｃｔｉｏｎ  Ｒｅｃｏｎｆｉｇｕｒａｔｉｏｎ」や「ＲＲＣ  Ｃｏｎｎｅｃｔｉｏｎ  Ｒｅｅｓｔａｂｌｉｓｈｍｅｎｔ」を用いるように構成されていてもよい。
【００６６】
かかる個別シグナリングには、「ＵＥ  ａｓｓｉｓｔａｎｃｅ  ｉｎｆｏｒｍａｔｉｏｎ」の再送抑止を指示する情報要素として、「ＲＲＣ  ＵＥ  ａｓｓｉｓｔａｎｃｅ  ｃｏｎｆｉｇ」が含まれるように構成されていてもよい。
【００６７】
移動局ＵＥの送信部２３は、かかる個別シグナリングに基づいて、「ＵＥ  ａｓｓｉｓｔａｎｃｅ  ｉｎｆｏｒｍａｔｉｏｎ」の再送を停止するように構成されている。
【００６８】
ここで、受信部２１が、「ＵＥ  ａｓｓｉｓｔａｎｃｅ  ｉｎｆｏｒｍａｔｉｏｎ」の再送許可を指示する情報要素「ＲＲＣ  ＵＥ  ａｓｓｉｓｔａｎｃｅ  ｃｏｎｆｉｇ」を含む個別シグナリングを受信した場合、送信部２３は、「ＵＥ  ａｓｓｉｓｔａｎｃｅ  ｉｎｆｏｒｍａｔｉｏｎ」の再送を再開するように構成されている。
【００６９】
なお、かかる「ＲＲＣ  ＵＥ  ａｓｓｉｓｔａｎｃｅ  ｃｏｎｆｉｇ」は、図６に示すように、「ＵＥ  ｐｏｗｅｒ  ｐｒｅｆｅｒｅｎｃｅ」及び「ＵＥ  ｍｏｂｉｌｉｔｙ  ｉｎｆｏｒｍａｔｉｏｎ」のそれぞれについて再送抑止或いは再送許可を指示することができるように構成されていてもよいし、「ＵＥ  ｐｏｗｅｒ  ｐｒｅｆｅｒｅｎｃｅ」及び「ＵＥ  ｍｏｂｉｌｉｔｙ  ｉｎｆｏｒｍａｔｉｏｎ」を区別することなく送抑止或いは再送許可を指示するように構成されていていてもよい。
【００７０】
ここで、「ＲＲＣ  ＵＥ  ａｓｓｉｓｔａｎｃｅ  ｃｏｎｆｉｇ」は、「ＵＥ  ｐｏｗｅｒ  ｐｒｅｆｅｒｅｎｃｅ」及び「ＵＥ  ｍｏｂｉｌｉｔｙ  ｉｎｆｏｒｍａｔｉｏｎ」を区別しない場合は、１ビットによって構成されていてもよい。
【００７１】
以下、図６を参照して、本変更例２に係る移動通信システムの動作について説明する。
【００７２】
図６に示すように、移動局ＵＥは、ステップＳ３０００において、「ＵＥ  ａｓｓｉｓｔａｎｃｅ  ｉｎｆｏｒｍａｔｉｏｎ」の送信が設定されている場合、ステップＳ３００１において、無線基地局ｅＮＢに対して、「ＵＥ  ａｓｓｉｓｔａｎｃｅ  ｉｎｆｏｒｍａｔｉｏｎ」を繰り返し送信する。
【００７３】
ステップＳ３００２において、無線基地局ｅＮＢは、移動局ＵＥに対して、「ＵＥ  ｐｏｗｅｒ  ｐｒｅｆｅｒｅｎｃｅ」の再送抑止を指示し「ＵＥ  ｍｏｂｉｌｉｔｙ  ｉｎｆｏｒｍａｔｉｏｎ」の再送許可を指示する情報要素「ＲＲＣ  ＵＥ  ａｓｓｉｓｔａｎｃｅ  ｃｏｎｆｉｇ」を送信する。
【００７４】
移動局ＵＥは、かかる「ＲＲＣ  ＵＥ  ａｓｓｉｓｔａｎｃｅ  ｃｏｎｆｉｇ」を受信すると、ステップＳ３００３において「ＵＥ  ｐｏｗｅｒ  ｐｒｅｆｅｒｅｎｃｅ」の再送を停止する。
【００７５】
なお、かかる場合であっても、移動局ＵＥは、ステップＳ３００４において、「ＵＥ  ｍｏｂｉｌｉｔｙ  ｉｎｆｏｒｍａｔｉｏｎ」の再送について継続して行うことができる。
【００７６】
その後、移動局ＵＥは、ステップＳ３００５において、無線基地局ｅＮＢから、「ＵＥ  ｐｏｗｅｒ  ｐｒｅｆｅｒｅｎｃｅ」及び「ＵＥ  ｍｏｂｉｌｉｔｙ  ｉｎｆｏｒｍａｔｉｏｎ」の再送許可を指示する情報要素「ＲＲＣ  ＵＥ  ａｓｓｉｓｔａｎｃｅ  ｃｏｎｆｉｇ」を受信すると、ステップＳ３００６において、「ＵＥ  ｐｏｗｅｒ  ｐｒｅｆｅｒｅｎｃｅ」の送信を再開することを決定し、ステップＳ３００７において、無線基地局ｅＮＢに対して、「ＵＥ  ｐｏｗｅｒ  ｐｒｅｆｅｒｅｎｃｅ」及び「ＵＥ  ｍｏｂｉｌｉｔｙ  ｉｎｆｏｒｍａｔｉｏｎ」を含む「ＵＥ  ａｓｓｉｓｔａｎｃｅ  ｉｎｆｏｒｍａｔｉｏｎ」を送信する。
【００７７】
本変更例２に係る移動通信システムによれば、無線基地局ｅＮＢが、移動局ＵＥに対して、上述の個別シグナリングを送信することで、移動局ＵＥによる「ＵＥ  ａｓｓｉｓｔａｎｃｅ  ｉｎｆｏｒｍａｔｉｏｎ」の再送を抑止することができる。
【００７８】
以上に述べた本実施形態の特徴は、以下のように表現されていてもよい。
【００７９】
本実施形態の第１の特徴は、移動通信方法であって、移動局ＵＥが、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ（移動局支援情報）」を送信する工程と、無線基地局ｅＮＢが、移動局ＵＥに対して、「ＵＥ  ａｓｓｉｓｔａｎｃｅ  ｉｎｆｏｒｍａｔｉｏｎ」の送信抑止期間を通知する工程と、移動局ＵＥが、かかる送信抑止期間に基づいて、「ＵＥ  ａｓｓｉｓｔａｎｃｅ  ｉｎｆｏｒｍａｔｉｏｎ」の再送を停止する工程とを有することを要旨とする。
【００８０】
本実施形態の第２の特徴は、移動通信方法であって、移動局ＵＥが、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ」を送信する工程と、無線基地局ｅＮＢが、移動局ＵＥに対して、「ＵＥ  ａｓｓｉｓｔａｎｃｅ  ｉｎｆｏｒｍａｔｉｏｎ」の送信許可回数を通知する工程と、「ＵＥ  ａｓｓｉｓｔａｎｃｅ  ｉｎｆｏｒｍａｔｉｏｎ」の再送回数が、かかる送信許可回数に到達した場合に、移動局ＵＥが、「ＵＥ  ａｓｓｉｓｔａｎｃｅ  ｉｎｆｏｒｍａｔｉｏｎ」の再送を停止する工程とを有することを要旨とする。
【００８１】
本実施形態の第３の特徴は、移動通信方法であって、移動局ＵＥが、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ」を送信する工程と、無線基地局ｅＮＢが、移動局ＵＥに対して、「ＵＥ  ａｓｓｉｓｔａｎｃｅ  ｉｎｆｏｒｍａｔｉｏｎ」の再送抑止を指示する個別シグナリングを送信する工程と、移動局ＵＥが、かかる個別シグナリングに基づいて、「ＵＥ  ａｓｓｉｓｔａｎｃｅ  ｉｎｆｏｒｍａｔｉｏｎ」の再送を停止する工程とを有することを要旨とする。
【００８２】
本実施形態の第４の特徴は、移動局ＵＥであって、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ」を送信するように構成されている送信部２３と、無線基地局ｅＮＢから、「ＵＥ  ａｓｓｉｓｔａｎｃｅ  ｉｎｆｏｒｍａｔｉｏｎ」の送信抑止期間を取得するように構成されている受信部２１とを具備しており、送信部２３は、かかる送信抑止期間に基づいて、「ＵＥ  ａｓｓｉｓｔａｎｃｅ  ｉｎｆｏｒｍａｔｉｏｎ」の再送を停止するように構成されていることを要旨とする。
【００８３】
本実施形態の第５の特徴は、移動局ＵＥであって、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ」を送信するように構成されている送信部２３と、無線基地局ｅＮＢから、「ＵＥ  ａｓｓｉｓｔａｎｃｅ  ｉｎｆｏｒｍａｔｉｏｎ」の送信許可回数を取得するように構成されている受信部２１とを具備しており、「ＵＥ  ａｓｓｉｓｔａｎｃｅ  ｉｎｆｏｒｍａｔｉｏｎ」の再送回数が、かかる送信許可回数に到達した場合に、送信部２３は、「ＵＥ  ａｓｓｉｓｔａｎｃｅ  ｉｎｆｏｒｍａｔｉｏｎ」の再送を停止するように構成されていることを要旨とする。
【００８４】
本実施形態の第６の特徴は、移動局ＵＥであって、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ」を送信するように構成されている送信部２３と、無線基地局ｅＮＢから、「ＵＥ  ａｓｓｉｓｔａｎｃｅ  ｉｎｆｏｒｍａｔｉｏｎ」の再送抑止を指示する個別シグナリングを受信するように構成されている受信部２１とを具備しており、送信部２３は、かかる個別シグナリングに基づいて、「ＵＥ  ａｓｓｉｓｔａｎｃｅ  ｉｎｆｏｒｍａｔｉｏｎ」の再送を停止するように構成されていることを要旨とする。
【００８５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８９】
ｅＮＢ…無線基地局
ＵＥ…移動局
１１、２３…送信部
１２、２１…受信部
２２…管理部
【要約】
【課題】「ＵＥ  ａｓｓｉｓｔａｎｃｅ  ｉｎｆｏｒｍａｔｉｏｎ」の再送を抑止する。
【解決手段】本発明に係る移動通信方法は、移動局ＵＥが、無線基地局ｅＮＢに対して、無線基地局ｅＮＢで用いる移動局ＵＥ用のパラメータの変更を促す「ＵＥ  ａｓｓｉｓｔａｎｃｅ  ｉｎｆｏｒｍａｔｉｏｎ」を送信する工程と、無線基地局ｅＮＢが、移動局ＵＥに対して、「ＵＥ  ａｓｓｉｓｔａｎｃｅ  ｉｎｆｏｒｍａｔｉｏｎ」の送信抑止期間を通知する工程と、移動局ＵＥが、かかる送信抑止期間に基づいて、「ＵＥ  ａｓｓｉｓｔａｎｃｅ  ｉｎｆｏｒｍａｔｉｏｎ」の再送を停止する工程とを有する。
【選択図】図４【図１】
0005391316.tif 000002
【図２】
0005391316.tif 000003
【図３】
0005391316.tif 000004
【図４】
0005391316.tif 000005
【図５】
0005391316.tif 000006
【図６】
0005391316.tif 000007